(57)【要約】【課題】サポート力を調節できる範囲が大きく、サポート力を適宜に調節できるサポーターを提供する。【解決手段】肘部分１２又は膝部分に装着して使用されるサポーター１であって、サポーター本体２と、２つの伸縮ベルト３と、２つの面ファスナーの一方部材４と、２つの面ファスナーの他方部材５を備え、伸縮ベルト３を弾性力に抗しながらサポーター本体２の周方向へ伸ばしてサポーター本体２に巻いた状態では面ファスナーの他方部材５を同じ側の面ファスナーの一方部材４に着脱自在に係合可能とし、伸縮ベルト３を弾性力に抗しながら斜め方向へ伸ばしてサポーター本体２に巻いた状態では面ファスナーの他方部材５を斜め方向の面ファスナーの一方部材４に着脱自在に係合可能とした。【選択図】図１
2019148014.tif 000002
【特許請求の範囲】
【請求項１】
肘部分又は膝部分に装着して使用されるサポーターであって、
伸縮性素材で構成されかつ筒状に形成されたサポーター本体と、
前記サポーター本体の外周面における長さ方向の一側及び他側にそれぞれ一端部が固定された２つの伸縮ベルトと、
前記サポーター本体の外周面における長さ方向の一側及び他側にそれぞれ取り付けられた２つの面ファスナーの一方部材と、
前記伸縮ベルトの他端部にそれぞれ取り付けられた２つの面ファスナーの他方部材
を備え、
前記伸縮ベルトを弾性力に抗しながら前記サポーター本体の周方向へ伸ばして前記サポーター本体に巻いた状態では前記面ファスナーの他方部材を同じ側の前記面ファスナーの一方部材に着脱自在に係合可能とし、
前記伸縮ベルトを弾性力に抗しながら斜め方向へ伸ばして前記サポーター本体に巻いた状態では前記面ファスナーの他方部材を斜め方向の前記面ファスナーの一方部材に着脱自在に係合可能としたことを特徴とするサポーター。
【請求項２】
前記面ファスナーの一方部材を前記伸縮ベルトに隣接するように取り付けた請求項１に記載のサポーター。
【請求項３】
前記伸縮ベルトの他端部に突出片を取り付け、
前記面ファスナーの他方部材を前記突出片に取り付けた
請求項１又は２に記載のサポーター。
【請求項４】
前記伸縮ベルトの他端部の角部を面取りした請求項１から３のいずれかに記載のサポーター。
【請求項５】
前記サポーター本体を長さ方向の一側から他側へ向かって細くなるように形成した請求項１から４のいずれかに記載のサポーター。
【請求項６】
前記面ファスナーの一方部材がループ面部材であり、
前記面ファスナーの他方部材がフック面部材である
請求項１から５のいずれかに記載のサポーター。
【発明の詳細な説明】
【技術分野】
【０００１】
本発明は、肘部分や膝部分に装着して使用されるサポーターに関するものである。
【背景技術】
【０００２】
従来のこの種の技術としては、伸縮性素材で構成されかつ筒状に形成され、肘部分に装着して使用されるサポーター（例えば、非特許文献１参照。）が知られている。
【先行技術文献】
【非特許文献】
【０００３】
【非特許文献１】“エルボースリーブ  ザムスト（ＺＡＭＳＴ）”，［online］，日本シグマックス株式会社，［平成３０（２０１８）年２月１８日検索］，インターネット＜ＵＲＬ：http://www.zamst.jp/product/elbow-sleeve/＞
【発明の開示】
【発明が解決しようとする課題】
【０００４】
上記のような従来のサポーターにおいては、肘部分に装着した状態で、サポーター本体の長さ方向の一側（上腕側）に設けられた突出部を締め付けて面ファスナーによりサポーター本体に固定できると共に、サポーター本体の長さ方向の他側（前腕側）に設けられた突出部を締め付けて面ファスナーによりサポーター本体に固定できるので、個人差がある腕の形状にフィットするアジャスタブル設計になっている。
【０００５】
しかし、各突出部を締め付けるだけであるので、当該サポーターによるサポート力（締め付け力）を多少は調節できるものの、調節できる範囲が非常に小さいという問題点がある。
【０００６】
本発明は、以上のような事情や問題点に鑑みてなされたものであり、サポート力を調節できる範囲が大きく、サポート力を適宜に調節できるサポーターを提供することを目的とする。
【課題を解決するための手段】
【０００７】
上記目的を達成するための第１の発明は、
肘部分又は膝部分に装着して使用されるサポーターであって、
伸縮性素材で構成されかつ筒状に形成されたサポーター本体と、
前記サポーター本体の外周面における長さ方向の一側及び他側にそれぞれ一端部が固定された２つの伸縮ベルトと、
前記サポーター本体の外周面における長さ方向の一側及び他側にそれぞれ取り付けられた２つの面ファスナーの一方部材と、
前記伸縮ベルトの他端部にそれぞれ取り付けられた２つの面ファスナーの他方部材
を備え、
前記伸縮ベルトを弾性力に抗しながら前記サポーター本体の周方向へ伸ばして前記サポーター本体に巻いた状態では前記面ファスナーの他方部材を同じ側の前記面ファスナーの一方部材に着脱自在に係合可能とし、
前記伸縮ベルトを弾性力に抗しながら斜め方向へ伸ばして前記サポーター本体に巻いた状態では前記面ファスナーの他方部材を斜め方向の前記面ファスナーの一方部材に着脱自在に係合可能としたものである。
【０００８】
第２の発明は、前記面ファスナーの一方部材を前記伸縮ベルトに隣接するように取り付けたものである。
【０００９】
第３の発明は、
前記伸縮ベルトの他端部に突出片を取り付け、
前記面ファスナーの他方部材を前記突出片に取り付けたものである。
【００１０】
第４の発明は、前記伸縮ベルトの他端部の角部を面取りしたものである。
【００１１】
第５の発明は、前記サポーター本体を長さ方向の一側から他側へ向かって細くなるように形成したものである。
【００１２】
第６の発明においては、
前記面ファスナーの一方部材がループ面部材であり、
前記面ファスナーの他方部材がフック面部材である。
【発明の効果】
【００１３】
第１の発明によれば、各伸縮ベルトの伸長量や留める方向によりサポート力を調節可能としているので、サポート力を調節できる範囲が大きく、サポート力を適宜に調節することができる。
【００１４】
第２の発明によれば、弾性力に抗しながら伸ばしてサポーター本体の外周面に巻き付けられる伸縮ベルトをより長く形成できるので、サポート力（締め付け力）の調節可能範囲をより大きくすることができる。
【００１５】
第３の発明によれば、伸縮ベルトを全体的に伸ばすことができる。
【００１６】
第４の発明によれば、伸縮ベルトの他端部の角部からのめくれ上がりを防止することができる。
【００１７】
第５の発明によれば、肘部分や膝部分によりフィットしやすい。
【００１８】
第６の発明によれば、ループ面部材の肌触りが比較的柔らかいので、一方部材の露出部分に身体が接触した場合でも痛くない。
【図面の簡単な説明】
【００１９】
【図１】実施形態におけるサポーターの概略斜視図である。
【図２】各伸縮ベルトを外して広げた状態を示す概略斜視図である。
【図３】各伸縮ベルトをサポーター本体の周方向へ伸ばして巻いた状態で留めた場合の使用例を示す説明図である。
【図４】各伸縮ベルトをそれぞれ斜め方向へ伸ばして巻いた状態で留めた場合の使用例を示す説明図である。
【図５】他側（前腕側）の伸縮ベルトを斜め方向へ伸ばして巻いた状態で留めた場合の使用例を示す説明図である。
【図６】一側（上腕側）の伸縮ベルトを斜め方向へ伸ばして巻いた状態で留めた場合の使用例を示す説明図である。
【発明を実施するための形態】
【００２０】
以下、本発明の実施形態を、図面に基づいて説明する。
図１〜図６に示すように、実施形態におけるサポーター１は、サポーター本体２と、２つの伸縮ベルト３と、２つの面ファスナーの一方部材４と、２つの面ファスナーの他方部材５を備えている。
【００２１】
サポーター１は、腕１１の肘部分１２に装着される肘用サポーターとして使用できる他、脚の膝部分に装着される膝用サポーターとしても使用できる。
【００２２】
サポーター本体２は、伸縮性素材で構成されており、筒状に形成されている。ここで、本実施形態のように、サポーター本体２を長さ方向の一側から他側へ向かって細くなるように形成しておけば、肘部分１２や膝部分によりフィットしやすいという利点がある。この場合、サポーター本体２の一側を上腕側や太もも側に向け、他側を前腕側やふくらはぎ側に向けて、サポーター１を肘部分１２や膝部分に装着すればよい。
【００２３】
伸縮ベルト３は、サポーター本体２の外周面における長さ方向の一側及び他側にそれぞれ一端部が固定されている。面ファスナーの一方部材４は、サポーター本体２の外周面における長さ方向の一側及び他側にそれぞれ取り付けられている。面ファスナーの他方部材５は、伸縮ベルト３の他端部にそれぞれ取り付けられている。
【００２４】
面ファスナーの一方部材４の位置は特に限定されるものではないが、本実施形態のように、面ファスナーの一方部材４を伸縮ベルト３に隣接するように取り付けておけば、弾性力に抗しながら伸ばしてサポーター本体２の外周面に巻き付けられる伸縮ベルト３をより長く形成できるので、サポート力（締め付け力）の調節可能範囲をより大きくできるという利点がある。また、伸縮ベルト３の他端部にそれぞれ突出片１３を取り付け、面ファスナーの他方部材５を突出片１３にそれぞれ取り付けておけば、伸縮ベルト３を全体的に伸ばすことができるという利点がある。更に、伸縮ベルト３の他端部の角部を面取りしておけば、その角部からのめくれ上がりを防止できるという利点がある。
【００２５】
面ファスナーの一方部材４及び他方部材５としては、ループ面部材及びフック面部材や、フック面部材及びループ面部材が挙げられるが、これに限定されるものではなく、フック面とループ面の区別のないタイプ、マッシュルーム状に起毛されていて結合力が強いクリックタイプ、あるいは、鋸歯状のシャークバイト（鮫歯）タイプ等のものでもよい。ここで、面ファスナーの一方部材４がループ面部材であり、面ファスナーの他方部材５がフック面部材であれば、ループ面部材の肌触りが比較的柔らかいので、一方部材４の露出部分に身体が接触した場合でも痛くないという利点がある。
【００２６】
図３に示すように、例えば肘サポーターとしてのサポーター１の使用に際しては、サポーター本体２を肘部分１２に装着し、一側（上腕側）の伸縮ベルト３を弾性力に抗しながらサポーター本体２の周方向へ伸ばしてサポーター本体２に巻いた状態で面ファスナーの他方部材５を同じ側（一側）の面ファスナーの一方部材４に着脱自在に係合できると共に、他側（前腕側）の伸縮ベルト３を弾性力に抗しながらサポーター本体２の周方向へ伸ばしてサポーター本体２に巻いた状態で面ファスナーの他方部材５を同じ側（他側）の面ファスナーの一方部材４に着脱自在に係合できる。なお、膝サポーターとしてのサポーター１の使用に際しては、サポーター本体２を膝部分に装着すればよい。
【００２７】
また、図４に示すように、一側（上腕側）の伸縮ベルト３を弾性力に抗しながら斜め方向へ伸ばしてサポーター本体２に巻いた状態で面ファスナーの他方部材５を斜め方向（他側）の面ファスナーの一方部材４に着脱自在に係合できると共に、他側（前腕側）の伸縮ベルト３を弾性力に抗しながら斜め方向へ伸ばしてサポーター本体２に巻いた状態で面ファスナーの他方部材５を斜め方向（一側）の面ファスナーの一方部材４に着脱自在に係合できる。
【００２８】
更に、図５に示すように、一側（上腕側）の伸縮ベルト３を弾性力に抗しながらサポーター本体２の周方向へ伸ばしてサポーター本体２に巻いた状態で面ファスナーの他方部材５を同じ側（一側）の面ファスナーの一方部材４に着脱自在に係合できると共に、他側（前腕側）の伸縮ベルト３を弾性力に抗しながら斜め方向へ伸ばしてサポーター本体２に巻いた状態で面ファスナーの他方部材５を斜め方向（一側）の面ファスナーの一方部材４に着脱自在に係合できる。
【００２９】
加えて、図６に示すように、他側（前腕側）の伸縮ベルト３を弾性力に抗しながらサポーター本体２の周方向へ伸ばしてサポーター本体２に巻いた状態で面ファスナーの他方部材５を同じ側（他側）の面ファスナーの一方部材４に着脱自在に係合できると共に、一側（上腕側）の伸縮ベルト３を弾性力に抗しながら斜め方向へ伸ばしてサポーター本体２に巻いた状態で面ファスナーの他方部材５を斜め方向（他側）の面ファスナーの一方部材４に着脱自在に係合できる。
【００３０】
このように、サポーター１によれば、伸縮ベルト３を弾性力に抗しながらサポーター本体２の周方向へ伸ばしてサポーター本体２に巻いた状態では面ファスナーの他方部材５を同じ側の面ファスナーの一方部材４に着脱自在に係合可能とすると共に、伸縮ベルト３を弾性力に抗しながら斜め方向へ伸ばしてサポーター本体２に巻いた状態では面ファスナーの他方部材５を斜め方向の面ファスナーの一方部材４に着脱自在に係合可能とし、つまり、各伸縮ベルト３の伸長量や留める方向によりサポート力を調節可能としているので、サポート力を調節できる範囲が大きく、サポート力を適宜に調節できるという利点がある。
【産業上の利用可能性】
【００３１】
以上のように、本発明のサポーターは、サポート力を調節できる範囲を大きくし、サポート力を適宜に調節するための手段として有用である。
【符号の説明】
【００３２】
１  サポーター
２  サポーター本体
３  伸縮ベルト
４  面ファスナーの一方部材
５  面ファスナーの他方部材
１２  肘部分
１３  突出片
【図１】
2019148014.tif 000003
【図２】
2019148014.tif 000004
【図３】
2019148014.tif 000005
【図４】
2019148014.tif 000006
【図５】
2019148014.tif 000007
【図６】
2019148014.tif 000008